(57)【特許請求の範囲】
【請求項１】
把持可能な筐体の上部に指向性を有する左右一対のマイクロホンを配備してなり、各マイクロホンは、その軸心に直交する回転軸回りに回転自由に支持されて、両マイクロホンの軸心が逆Ｖ字状となる第１の配置と、両マイクロホンの軸心が互いに平行となる第２の配置と、両マイクロホンの軸心がＶ字状となる第３の配置とを選択的に設定することが可能な携帯型録音装置において、
筐体の上部には、前記一対のマイクロホンをそれぞれ回転可能に支持する一対の回転支持機構が配備されると共に、筐体から外周面を臨出させた操作ダイヤルが回転操作可能に配備され、該操作ダイヤルは、歯車機構を介して前記一対の回転支持機構に連繋しており、操作ダイヤルの回転に伴って前記一対のマイクロホンが互いに逆方向に回転し、前記歯車機構には、前記一対のマイクロホンを前記第１乃至第３の配置にてそれぞれ軟係止する軟係止機構が連繋し、前記操作ダイヤルの外周面には前記操作ダイヤルを回転操作する際の指掛かりとなる突片が突設され、該突片は、前記一対のマイクロホンを前記第１の配置に設定するための第１の操作位置と、前記一対のマイクロホンを前記第２の配置に設定するための第２の操作位置と、前記一対のマイクロホンを前記第３の配置に設定するための第３の操作位置に、ワンタッチの操作で切り換えることが可能であることを特徴とする携帯型録音装置。
【請求項２】
前記歯車機構は一対のギア部材を有し、該一対のギア部材の内、一方のギア部材に、前記操作ダイヤルが一体回転可能に連結され、両ギア部材は互いに噛合しており、前記軟係止機構は、各ギア部材の外周部にそれぞれ前記第１乃至第３の配置に対応させて形成された３つの係合受け部と、各係合受け部に係合可能な係合アームと、該係合アームを係合方向に付勢するスプリングとを具えている請求項１に記載の携帯型録音装置。
【請求項３】
筐体の表面には、ディスプレイと操作キーが配備され、前記一対のマイクロホンはそれぞれ、筐体の表面から少なくとも一部を突出させて配備されている請求項１又は請求項２に記載の携帯型録音装置。
【請求項４】
筐体には、前記一対のマイクロホンを覆う保護カバーが取り付けられており、該保護カバーは、一対のマイクロホンへ音波を導入すると共に、一対のマイクロホンの向きを視認可能とするためのメッシュ部を有している請求項３に記載の携帯型録音装置。
【発明の詳細な説明】
【技術分野】
【０００１】
本発明は、把持可能な筐体の上部に左右一対のマイクロホンを配備してなる携帯型録音装置に関するものである。
【背景技術】
【０００２】
従来、ＩＣレコーダ等の携帯型録音装置においては、筐体の上部に指向性を有する左右一対のマイクロホンを配備し、両マイクロホンの軸心が逆Ｖ字状となる第１の配置(Ｘ−Ｙポジション)と、両マイクロホンの軸心が互いに平行となる第２の配置(ズームポジション)とを、選択的に設定することが可能なものが知られている(特許文献１)。
【０００３】
又、前記第１の配置から、第２の配置を経て、両マイクロホン(30)(30)の軸心がＶ字状となる第３の配置(Ｙステレオポジション)まで、左右一対のマイクロホンを回転させることが可能なＩＣレコーダが知られている。
【０００４】
この様な携帯型録音装置によれば、左右一対のマイクロホンの向きを調整することにより、録音時の環境や条件に応じて良好な特性の録音状態を設定することが出来る。
【先行技術文献】
【特許文献】
【０００５】
【特許文献１】特開２００７−４３５１０号公報
【発明の概要】
【発明が解決しようとする課題】
【０００６】
しかしながら、従来の携帯型録音装置においては、左右一対のマイクロホンの向きを調整する場合、両マイクロホンを直接に操作して、その向きを変える必要があったため、例えば左手で筐体を把持した状態で、右手の指先で両マイクロホンを操作せねばならず、操作が困難である問題があった。
又、左右一対のマイクロホンを何れか１つの配置に設定する際、両マイクロホンの回転角度を微妙に調整する必要があり、操作が煩雑である問題があった。
【０００７】
本発明の目的は、筐体を把持した手の指先で左右一対のマイクロホンの向きを容易に調整することが出来、然も、ワンタッチの操作で所望の配置を正確に設定することが出来る録音装置を提供することである。
【課題を解決するための手段】
【０００８】
本発明に係る録音装置は、把持可能な筐体(１)の上部に左右一対のマイクロホン(30)(30)を配備してなり、各マイクロホン(30)(30)は、その軸心に直交する回転軸回りに回転自由に支持されて、両マイクロホン(30)(30)の軸心が逆Ｖ字状となる第１の配置と、両マイクロホン(30)(30)の軸心が互いに平行となる第２の配置と、両マイクロホン(30)(30)の軸心がＶ字状となる第３の配置とを選択的に設定することが可能となっている。
【０００９】
ここで、筐体(１)の上部には、前記一対のマイクロホン(30)(30)をそれぞれ回転可能に支持する一対の回転支持機構が配備されると共に、筐体(１)から操作部を臨出させた操作ダイヤル(２)が回転操作可能に配備され、該操作ダイヤル(２)は、歯車機構を介して前記一対の回転支持機構に連繋しており、操作ダイヤル(２)の回転に伴って前記一対のマイクロホン(30)(30)が互いに逆方向に回転し、前記歯車機構には、前記一対のマイクロホン(30)(30)を前記第１乃至第３の配置にてそれぞれ軟係止する軟係止機構が連繋している。
そして、前記操作ダイヤル(２)の外周面には前記操作ダイヤル(２)を回転操作する際の指掛かりとなる突片(21)が突設され、該突片(21)は、前記一対のマイクロホン(30)(30)を前記第１の配置に設定するための第１の操作位置と、前記一対のマイクロホン(30)(30)を前記第２の配置に設定するための第２の操作位置と、前記一対のマイクロホン(30)(30)を前記第３の配置に設定するための第３の操作位置に、ワンタッチの操作で切り換えることが可能である。
【００１０】
本発明に係る携帯型録音装置によれば、筐体(１)を把持した手の指先で操作ダイヤル(２)の操作部を操作して、操作ダイヤル(２)を一方向に回転させる。この操作ダイヤル(２)の回転は、歯車機構及び一対の回転支持機構を介して、一対のマイクロホン(30)(30)に伝えられ、両マイクロホン(30)(30)は互いに逆方向に回転する。これによって、一対のマイクロホン(30)(30)は、第１の配置、第２の配置、及び第３の配置に順次設定されることになる。
又、第１の配置、第２の配置、及び第３の配置においては、軟係止機構が動作して、一対のマイクロホン(30)(30)の各配置に対応する回転角度にて歯車機構を軟係止する。この結果、一対のマイクロホン(30)(30)は、それぞれ第１の配置、第２の配置、及び第３の配置にて正確に位置決めされることになる。
【００１１】
具体的態様において、前記歯車機構は一対のギア部材を有し、該一対のギア部材の内、一方のギア部材に、前記操作ダイヤルが一体回転可能に連結され、両ギア部材は互いに噛合しており、前記軟係止機構は、各ギア部材の外周部にそれぞれ前記第１乃至第３の配置に対応させて形成された３つの係合受け部と、各係合受け部に係合可能な係合アームと、該係合アームを係合方向に付勢するスプリングとを具えている。
【００１２】
該具体的態様によれば、各ギア部材(５)が、３つの係合受け部と、各係合受け部に係合可能な係合アーム(41)と、該係合アーム(41)を係合方向に付勢するスプリングとからなる軟係止機構部によって、個別に軟係止されるので、ギア部材(５)(５)のバックラッシュに起因するガタツキが解消される。
この結果、一対のマイクロホン(30)(30)は、それぞれ第１の配置、第２の配置、及び第３の配置にてガタツキなく正確に位置決めされることになる。
【００１３】
他の具体的態様において、筐体(１)の表面には、ディスプレイ(11)と操作キー(12)が配備され、前記一対のマイクロホン(30)(30)はそれぞれ、筐体(１)の表面から少なくとも一部を突出させて配備されている。
そして、筐体(１)には、前記一対のマイクロホン(30)(30)を覆う保護カバー(10)が取り付けられており、該保護カバー(10)は、一対のマイクロホン(30)(30)へ音波を導入すると共に、一対のマイクロホン(30)(30)の向きを視認可能とするためのメッシュ部を有している。
【００１４】
該具体的態様によれば、各マイクロホン(30)には前面側と背面側の両方から音波が導入されることによるキャンセル効果が発揮され、これによってマイクロホン(30)の指向特性が向上する。
又、保護カバー(10)のメッシュ部を透して一対のマイクロホン(30)(30)の配置を確認することが出来るので、操作ダイヤル(２)の操作による配置の変更を容易に行なうことが出来る。
【発明の効果】
【００１５】
本発明に係る携帯型録音装置によれば、筐体を把持した手の指先で左右一対のマイクロホンの向きを容易に調整することが出来、然も、ワンタッチの操作で所望の配置を正確に設定することが出来る。
【図面の簡単な説明】
【００１６】
【図１】図１は、本発明の一実施形態であるＩＣレコーダの斜視図である。
【図２】図２は、該ＩＣレコーダから保護カバーを外した状態を示す斜視図である。
【図３】図３は、第１の配置における可動録音ユニットの斜視図である。
【図４】図４は、該可動録音ユニットから操作ダイヤルを取り外した状態を示す斜視図である。
【図５】図５は、図４とは異なる方向から見た可動録音ユニットの斜視図である。
【図６】図６は、第１の配置における可動録音ユニットの背面図である。
【図７】図７は、第２の配置における可動録音ユニットの斜視図である。
【図８】図８は、該可動録音ユニットから操作ダイヤルを取り外した状態を示す斜視図である。
【図９】図９は、図８とは異なる方向から見た可動録音ユニットの斜視図である。
【図１０】図１０は、第２の配置における可動録音ユニットの背面図である。
【図１１】図１１は、第３の配置における可動録音ユニットの斜視図である。
【図１２】図１２は、該可動録音ユニットから操作ダイヤルを取り外した状態を示す斜視図である。
【図１３】図１３は、図１２とは異なる方向から見た可動録音ユニットの斜視図である。
【図１４】図１４は、第３の配置における可動録音ユニットの背面図である。
【図１５】図１５は、可動録音ユニットの分解斜視図である。
【発明を実施するための形態】
【００１７】
以下、本発明をＩＣレコーダに実施した形態につき、図面に沿って具体的に説明する。
本発明の一実施形態であるＩＣレコーダは、図１に示す如く、扁平な直方体状の筐体(１)を具え、該筐体(１)の表面には、ディスプレイ(11)や操作キー(12)が配備されており、筐体(１)を把持して携帯することが可能である。
【００１８】
筐体(１)の上部には、図２に示す如く、指向性を有する左右一対のマイクロホン(30)(30)を具えた可動録音ユニット(６)が配備されており、左右一対のマイクロホン(30)(30)の一部は、ディスプレイ(11)が配備されている筐体(１)の表面から突出している。
尚、一対のマイクロホン(30)(30)は、筐体(１)の表面と平行な面内にそれぞれの軸心(指向性を発揮する方向)を配置しており、筐体(１)の表面とは直交する２本の平行な回転軸を中心として、後述の如く互いに逆方向に回転させることが可能となっている。
【００１９】
可動録音ユニット(６)は、図１に示す如くメッシュ部を有する保護カバー(10)によって覆われており、該メッシュ部を通じて一対のマイクロホン(30)(30)の前面側及び背面側へ音波を導くことが出来ると共に、該メッシュ部を透して一対のマイクロホン(30)(30)の視認が可能となっている。
【００２０】
又、筐体(１)の上部には、筐体(１)の角部の表面から外周面を臨出させた円盤状の操作ダイヤル(２)が正逆回転可能に配備され、該操作ダイヤル(２)の外周面には、操作ダイヤル(２)を回転操作する際の指掛かりとなる突片(21)が突設されている。
【００２１】
該ＩＣレコーダにおいては、操作ダイヤル(２)を回転操作することにより左右一対のマイクロホン(30)(30)の向きを変化させて、図３に示す如く両マイクロホン(30)(30)の軸心が逆Ｖ字状となる第１の配置(Ｘ−Ｙポジション)と、図７に示す如く両マイクロホン(30)(30)の軸心が互いに平行となる第２の配置(ズームポジション)と、図１１に示す如く両マイクロホン(30)(30)の軸心がＶ字状となる第３の配置(Ｙステレオポジション)とを選択的に設定することが可能となっている。
【００２２】
可動録音ユニット(６)は、図１５に示す如く、左右一対のマイクロホンアセンブリ(３)(３)と、両マイクロホンアセンブリ(３)(３)をそれぞれ回転可能に支持するベース板(４)と、両マイクロホンアセンブリ(３)(３)とそれぞれ一体回転可能に連結された左右一対のギア部材(５)(５)と、各ギア部材(５)とベース板(４)との間に介在する係合アーム(41)及びトーションスプリング(42)と、前記操作ダイヤル(２)と、ベース板(４)に連結された基板(61)とを具えている。
【００２３】
マイクロホンアセンブリ(３)は、マイクロホン(30)と、マイクロホン(30)を収容する筒体(31)と、筒体(31)に収容されたマイクロホン(30)を保持するホルダー(32)と、ホルダー(32)が係止される回転板(33)とから構成され、回転板(33)がベース板(４)に対して回転可能に係合している。
【００２４】
一対のギア部材(５)(５)の内、一方のギア部材(５)には、操作ダイヤル(２)が一体回転可能に連結されており、一方のギア部材(５)のギア(51)と他方のギア部材(５)のギア(51)とが互いに噛合している。
従って、操作ダイヤル(２)が回転すると、一対のギア部材(５)(５)が互いに逆方向に回転し、両ギア部材(５)(５)の回転に伴って一対のマイクロホンアセンブリ(３)(３)が回転することになる。
【００２５】
又、係合アーム(41)は、その基端部がベース板(４)上に枢支されると共に、その先端部がギア部材(５)の外周面に向かって伸びている。
ギア部材(５)の外周面には、図６に示す様に、係合アーム(41)の先端部が係合可能な第１係合受け部(53)、第２係合受け部(54)及び第３係合受け部(55)が間隔をおいて凹設されている。
【００２６】
係合アーム(41)は、トーションスプリング(42)よってギア部材(５)側へ付勢されており、この付勢によって、係合アーム(41)の先端部はギア部材(５)の第１係合受け部(53)、第２係合受け部(54)又は第３係合受け部(55)に圧接力をもって係合することになる。
ギア部材(５)に大きな回転トルクが加わって、ギア部材(５)が回転すると、係合アーム(41)は、トーションスプリング(42)の付勢に抗して、１つの係合受け部から脱する方向に揺動した後、次の係合受け部との軟係止状態に陥り、これによってギア部材(５)の回転角度を正確に規定する。
【００２７】
斯くして、図１５に示す一対のホルダー(32)(32)と回転板(33)(33)、並びにベース板(４)によって、一対のマイクロホン(30)(30)を回転可能に支持する一対の回転支持機構が構成される。
又、一対のギア部材(５)(５)によって、操作ダイヤル(２)の回転を前記一対の回転支持機構に伝える歯車機構が構成される。
更に、ギア部材(５)の外周面に凹設された第１係合受け部(53)、第２係合受け部(54)及び第３係合受け部(55)、係合アーム(41)、並びにトーションスプリング(42)によって、一対のマイクロホン(30)(30)を第１乃至第３の配置にてそれぞれ軟係止する軟係止機構が構成される。
【００２８】
図３〜図６は、第１の配置における回転支持機構、歯車機構、及び軟係止機構の動作状態を示している。
図６に示す如く、左右一対のギア部材(５)(５)は、ギア(51)どうしが互いに噛合した状態で、各係合アーム(41)が各ギア部材(５)の第１係合受け部(53)と係合している。
これによって、左右一対のマイクロホン(30)(30)は、図３〜図５に示す様に第１の配置に正確に位置決めされることになる。
【００２９】
図７〜図１０は、第２の配置における回転支持機構、歯車機構、及び軟係止機構の動作状態を示している。
図１０に示す如く、左右一対のギア部材(５)(５)は、ギア(51)どうしが互いに噛合した状態で、各係合アーム(41)が各ギア部材(５)の第２係合受け部(54)と係合している。
これによって、左右一対のマイクロホン(30)(30)は、図７〜図９に示す様に第２の配置に正確に位置決めされることになる。
【００３０】
図１１〜図１４は、第３の配置における回転支持機構、歯車機構、及び軟係止機構の動作状態を示している。
図１４に示す如く、左右一対のギア部材(５)(５)は、ギア(51)どうしが互いに噛合した状態で、各係合アーム(41)が各ギア部材(５)の第３係合受け部(55)と係合している。
これによって、左右一対のマイクロホン(30)(30)は、図１１〜図１３に示す様に第３の配置に正確に位置決めされることになる。
【００３１】
上記ＩＣレコーダによれば、筐体(１)を把持した手の指先で操作ダイヤル(２)を操作することにより、一対のマイクロホン(30)(30)を、第１の配置、第２の配置、及び第３の配置に順次設定することが出来、然も、一対のマイクロホン(30)(30)は、第１の配置、第２の配置、及び第３の配置にて正確に位置決めされるので、ワンタッチの操作で所望の配置を正確に設定することが出来る。
【００３２】
又、各ギア部材(５)に対して個別に、係合アーム(41)とトーションスプリング(42)による軟係止が施されるので、ギア部材(５)(５)の間にバックラッシュに起因するガタツキがあったとしても、そのバックラッシュは軟係止によって吸収される。この結果、一対のマイクロホン(30)(30)は、それぞれ第１の配置、第２の配置、及び第３の配置にてガタツキなく正確に位置決めされることになる。
【００３３】
又、図１に示す保護カバー(10)のメッシュ部を透して一対のマイクロホン(30)(30)の配置を確認することが出来るので、操作ダイヤル(２)の操作による配置の変更を容易に行なうことが出来る。
【００３４】
更に又、軟係止機構として、係合アーム(41)をトーションスプリング(42)によって付勢する構成を採用しているので、各ギア部材(５)に対して一定の軟係止力を与えることが出来る。
【符号の説明】
【００３５】
(１)  筐体
(10)  保護カバー
(11)  ディスプレイ
(12)  操作キー
(２)  操作ダイヤル
(３)  マイクロホンアセンブリ
(30)  マイクロホン
(41)  係合アーム
(42)  トーションスプリング
(５)  ギア部材
(51)  ギア
(53)  第１係合受け部
(54)  第２係合受け部
(55)  第３係合受け部
(６)  可動録音ユニット
【図１】
0005507390.tif 000002
【図２】
0005507390.tif 000003
【図３】
0005507390.tif 000004
【図４】
0005507390.tif 000005
【図５】
0005507390.tif 000006
【図６】
0005507390.tif 000007
【図７】
0005507390.tif 000008
【図８】
0005507390.tif 000009
【図９】
0005507390.tif 000010
【図１０】
0005507390.tif 000011
【図１１】
0005507390.tif 000012
【図１２】
0005507390.tif 000013
【図１３】
0005507390.tif 000014
【図１４】
0005507390.tif 000015
【図１５】
0005507390.tif 000016